(57)【要約】  【課題】上刃と下刃との間に手が入ることを好適に予防することができ、且つ、使用者の使い勝手に優れた裁断機を提供する。  【解決手段】用紙が配設される上向面を有するとともに側端部に下刃を有したベースと、このベースの下刃に沿って回動可能に支持された上刃と、この上刃に隣接配置され前記上向面に配設された用紙を押さえ得るようにベースに対して回動可能に支持された用紙押さえと、この用紙押さえに対して着脱可能に立設された安全板とを備えてなる裁断機であり、前記安全板が、止着具を用いることなく前記用紙押さえに対して着脱し得るものである。【選択図】図１
2019084631.tif 000002
【特許請求の範囲】
【請求項１】
用紙が配設される上向面を有するとともに側端部に下刃を有したベースと、このベースの下刃に沿って回動可能に支持された上刃と、この上刃に隣接配置され前記上向面に配設された用紙を押さえ得るようにベースに対して回動可能に支持された用紙押さえと、この用紙押さえに対して着脱可能に立設された安全板とを備えてなる裁断機であって、
前記安全板が、止着具を用いることなく前記用紙押さえに対して着脱し得るものである裁断機。
【請求項２】
用紙が配設される上向面を有するとともに側端部に下刃を有したベースと、このベースの下刃に沿って回動可能に支持された上刃と、この上刃に隣接配置され前記上向面に配設された用紙を押さえ得るようにベースに対して回動可能に支持された用紙押さえと、この用紙押さえに立設された安全板とを備えてなる裁断機であって、
前記安全板が、使用状態と収納状態とを選択的に採り得るものである裁断機。
【請求項３】
前記安全板が、前記使用状態において、前記上向面に対して起立した姿勢が保持されている請求項２記載の裁断機。
【請求項４】
前記安全板の下端部に設けられた一方の係合部が、前記用紙押さえに設けられた他方の係合部に係合することにより、前記安全板が前記用紙押さえに装着されるものであり、
前記安全板を前記用紙押さえの長手方向にスライド移動させることにより、前記一方の係合部と他方の係合部とが係合し得る請求項１、２又は３記載の裁断機。
【請求項５】
前記安全板の下端部に設けられた一方の係合部が、前記用紙押さえに設けられた他方の係合部に係合することにより、前記安全板が前記用紙押さえに装着されるものであり、
前記安全板を前記上刃及び前記下刃に向かう方向にスライド移動させることにより、前記一方の係合部と他方の係合部とが係合し得る請求項１、２又は３記載の裁断機。
【請求項６】
前記一方の係合部が前方に向かって開放された複数の凹部を備えたものであり、前記他方の係合部が後方に向かって突設された複数の凸部を備えたものである請求項４記載の裁断機。
【請求項７】
前記安全板が、上側に向かって漸次前記上刃と離れるように傾斜した傾斜面を備えている請求項１、２、３、４、５又は６記載の裁断機。
【請求項８】
前記安全板における前後方向の寸法が、前記ベースの上向面における前後方向の寸法よりも短く設定されている請求項１、２、３、４、５、６又は７記載の裁断機。
【請求項９】
前記安全板が前記用紙押さえに装着されていないときに、前記安全板を前記ベースに対して保持させ得る保持装置が設けられた請求項１、２、３、４、５、６、７又は８記載の裁断機。
【発明の詳細な説明】
【技術分野】
【０００１】
本発明は、用紙を裁断するための裁断機に関する。
【背景技術】
【０００２】
従来から、ベースに対して上刃（カッター刃）を回動させることにより、ベース上に配された用紙を上刃と下刃との協働により裁断し得るいわゆる押し切り式の裁断機が知られている。従来のものにおいては、上刃に対する操作上の安全性を確保するべく、ベース上に配された用紙を、ベースに対して回動可能に設けた紙押さえによって押さえ得るように構成している（例えば、特許文献１を参照）。
【０００３】
ところが、従来の紙押さえは、ベースに対する高さが低く設定されているものであったため、依然として、上刃に対して手が及んでしまうのではないかという不安感を与えてしまう場合があった。
【先行技術文献】
【特許文献】
【０００４】
【特許文献１】特開２００６−３２１０２５号公報
【発明の概要】
【発明が解決しようとする課題】
【０００５】
本発明は、以上のような事情に着目してなされたもので、上刃と下刃との間に手が入ることを好適に予防することができ、且つ、使用者の使い勝手に優れた裁断機を提供することにある。
【課題を解決するための手段】
【０００６】
すなわち、本発明は次の構成をなしている。
【０００７】
請求項１に記載の発明は、用紙が配設される上向面を有するとともに側端部に下刃を有したベースと、このベースの下刃に沿って回動可能に支持された上刃と、この上刃に隣接配置され前記上向面に配設された用紙を押さえ得るようにベースに対して回動可能に支持された用紙押さえと、この用紙押さえに対して着脱可能に立設された安全板とを備えてなる裁断機であって、前記安全板が、止着具を用いることなく前記用紙押さえに対して着脱し得るものである裁断機である。
【０００８】
請求項２に記載の発明は、用紙が配設される上向面を有するとともに側端部に下刃を有したベースと、このベースの下刃に沿って回動可能に支持された上刃と、この上刃に隣接配置され前記上向面に配設された用紙を押さえ得るようにベースに対して回動可能に支持された用紙押さえと、この用紙押さえに立設された安全板とを備えてなる裁断機であって、前記安全板が、使用状態と収納状態とを選択的に採り得るものである裁断機である。
【０００９】
請求項３に記載の発明は、前記安全板が、前記使用状態において、前記上向面に対して起立した姿勢が保持されている請求項２記載の裁断機である。
【００１０】
請求項４に記載の発明は、前記安全板の下端部に設けられた一方の係合部が、前記用紙押さえに設けられた他方の係合部に係合することにより、前記安全板が前記用紙押さえに装着されるものであり、前記安全板を前記用紙押さえの長手方向にスライド移動させることにより、前記一方の係合部と他方の係合部とが係合し得る請求項１、２又は３記載の裁断機である。
【００１１】
請求項５に記載の発明は、前記安全板の下端部に設けられた一方の係合部が、前記用紙押さえに設けられた他方の係合部に係合することにより、前記安全板が前記用紙押さえに装着されるものであり、前記安全板を前記上刃及び前記下刃に向かう方向にスライド移動させることにより、前記一方の係合部と他方の係合部とが係合し得る請求項１、２又は３記載の裁断機である。
【００１２】
請求項６に記載の発明は、前記一方の係合部が前方に向かって開放された複数の凹部を備えたものであり、前記他方の係合部が後方に向かって突設された複数の凸部を備えたものである請求項４記載の裁断機である。
【００１３】
請求項７に記載の発明は、前記安全板が、上側に向かって漸次前記上刃と離れるように傾斜した傾斜面を備えている請求項１、２、３、４、５又は６記載の裁断機である。
【００１４】
請求項８に記載の発明は、前記安全板における前後方向の寸法が、前記ベースの上向面における前後方向の寸法よりも短く設定されている請求項１、２、３、４、５、６又は７記載の裁断機である。
【００１５】
請求項９に記載の発明は、前記安全板が前記用紙押さえに装着されていないときに、前記安全板を前記ベースに対して保持させ得る保持装置が設けられた請求項１、２、３、４、５、６、７又は８記載の裁断機である。
【発明の効果】
【００１６】
以上説明したように本発明によれば、上刃と下刃との間に手が入ることを好適に予防することができ、且つ、使用者の使い勝手に優れた裁断機を提供することができる。
【図面の簡単な説明】
【００１７】
【図１】本発明の一実施形態を示す斜視図。
【図２】同実施形態を示す斜視図。
【図３】同実施形態を示す右側面図。
【図４】同実施形態を示す正面図。
【図５】同実施形態を示す平面図。
【図６】同実施形態を示す部分拡大斜視図。
【図７】同実施形態を示す部分拡大斜視図。
【図８】同実施形態を示す斜視図。
【図９】同実施形態を示す右側面図。
【図１０】同実施形態を示す分解斜視図。
【図１１】同実施形態を示す分解斜視図。
【図１２】図１１におけるＸ方向矢視図。
【図１３】図１２におけるＹ−Ｙ線断面図。
【図１４】図１０におけるＺ−Ｚ線断面図。
【図１５】安全板の取付構造を説明するための説明図。
【図１６】他の実施形態を説明するための斜視図。
【図１７】他の実施形態を説明するための斜視図。
【図１８】他の実施形態を説明するための斜視図。
【図１９】他の実施形態を説明するための斜視図。
【図２０】他の実施形態を説明するための斜視図。
【発明を実施するための形態】
【００１８】
以下、本発明の一実施形態を、図１〜１５を参照して説明する。
【００１９】
この実施形態は、本発明を、用紙Ｐを適宜の大きさに裁断するための裁断機Ａに適用したものである。裁断機Ａは、ベースＢに対して回動可能に支持された上刃Ｃが、ベースＢに設けられた下刃Ｊと協働して、用紙Ｐを裁断し得るように構成されたいわゆる押し切り式のものである。
【００２０】
裁断機Ａは、例えば図示しない机等の天板の上に載置されるベースＢと、ベースＢに対して回動可能に支持された上刃Ｃと、上刃Ｃに隣接する位置にベースＢに対して回動可能に配された用紙押さえＥと、用紙押さえＥに着脱可能に立設された安全板Ｆとを備えている。また、裁断機Ａは、使用者の手動により操作され、上位置（Ｕ）にある上刃Ｃが下位置（Ｓ）に向かって回動することを禁止し得る回動禁止機構Ｇが設けられている。
【００２１】
以下、裁断機Ａの各構成について説明する。
【００２２】
ベースＢは、裁断するべき用紙Ｐが配設される上向面ｍを有したベース本体１と、ベース本体１の右側端部に止着された下刃Ｊと、ベース本体１の後縁部に沿って配された後カバー２と、ベース本体１の前縁部に沿って配された前カバー３とを備えてなる。
【００２３】
ベース本体１は、金属製のものである。すなわち、ベース本体１は、図示しない磁石を有した用紙位置決め用の定規Ｈが磁力によって吸着し得る材質のものにより構成されている。ベース本体１は、後カバー２と前カバー３との間に、平面視において矩形状をなし上側に表出した上向面ｍを有している。なお、上向面ｍは、図１０に示すように、裁断機Ａを使用していない時などに、用紙押さえＥから離脱させた安全板Ｆを寝かせた状態で載せ置くことができる大きさに設定されている。
【００２４】
ベース本体１は、上向面ｍを有した天壁１１と、天壁１１における右側の側端縁から延出した右壁１２と、天壁１１における左側の側端縁から延出した左壁１３と、天壁１１の前端縁から延出した前壁１４と、天壁１１の後端縁から延出した後壁１５とを備えている。
【００２５】
下刃Ｊは、上刃Ｃと協働して用紙Ｐを裁断し得るものである。下刃Ｊは、前後方向に延びてなる平板状をなしている。下刃Ｊは、剛性に優れた金属製のものである。下刃Ｊは、その上端面がベース本体１における天壁１１の上向面ｍと略面一をなすようにしてベース本体１の右側壁１２にねじｖにより固定されている。下刃Ｊには、回動禁止機構Ｇを構成するピンＱが突没し得るように左右方向に延びた貫通孔ａ１が設けられている。
【００２６】
後カバー２は、合成樹脂製のものである。後カバー２は、ベース本体１の後端部にねじｖにより取り付けられている。後カバー２は、回動禁止機構Ｇを構成する操作部材７を表出させるための矩形状の窓２１ａを有した上壁２１と、上壁２１の前端縁から垂下させた内壁２２と、上壁２１の後端縁から垂下させた外壁２３と、上壁２１の左端縁から垂下させた左側壁２４と、外壁２３に連続して設けられ上刃Ｃにおける基端部の右側に位置させた右側壁２５とを備えている。
【００２７】
後カバー２の上壁２１には、用紙押さえＥを用紙Ｐの上面に接した用紙押さえ位置と用紙Ｐから離れた離間位置との間で回動可能に支持し得る用紙押さえ支持部２１ｂを備えている。用紙押さえ支持部２１ｂは、平面視において略コ字状をなす周壁２１１と、周壁２１１の下端に設けられた底壁２１２とを備えている。周壁２１１の内面側には、軸受け用の凹部２１３が設けられている。用紙押さえＥの基端部４１には、左右方向に突設された軸部４１ａが設けられている。そして、用紙押さえＥの軸部４１ａは、周壁２１１に設けられた凹部２１３に回動可能に係り合うようになっている。
【００２８】
上壁２１に設けられた周壁２１１には、左右に対をなす係止爪ｖ１を有した係止部材Ｖが設けられている。係止部材Ｖは、用紙押さえＥを所定の位置で係止し得るようになっている。係止部材Ｖは、上向コ字状の形状をなしており、用紙押さえ支持部２１ｂの底壁２１２にねじにより止着されている。
【００２９】
内壁２２は、裁断される用紙Ｐの上端縁ｐ１を位置決めする用紙位置決め面２２１を有している。右側壁２５と上壁２１との間には、上刃Ｃの上下方向の回動を許容し得るスリットｓｌが形成されている。
【００３０】
後カバー２の下面はベース本体１の後壁１５に略閉塞されているが、上刃Ｃの基端部付近はベース本体１とは別体をなす下カバー２６によって閉塞されている。
【００３１】
前カバー３は、合成樹脂製のものである。前カバー３は、ベース本体１の前端部に取り付けられている。前カバー３は、上壁３１と、上壁３１の後端縁から垂下させた内壁３２と、上壁３１の前縁から垂下させた外壁３３と、内壁３２及び外壁３３の左側の端縁間を繋ぐ左側壁３４と、内壁３２及び外壁３３の右側の端縁間を繋ぐ右側壁３５とを備えている。前カバー３の右側壁３５には、上刃Ｃが下位置（Ｓ）にあるときに、上刃Ｃの上動を禁止する上動ロック爪ｔが設けられている。上動ロック爪ｔは、前カバー３の右側壁３５から突設されたロック爪支持部３６に回動可能に支持されている。そして、上刃Ｃが下位置（Ｓ）にあるときに、上動ロック爪ｔを回動させると、当該上動ロック爪ｔが上刃Ｃの前端部外側に突設された係合凸部ｃ１に係り合うようになっている。
【００３２】
上刃Ｃは、ベースＢの下刃Ｊと協働して用紙Ｐを裁断し得るものである。上刃Ｃは、前後方向に延びてなる平板状をなしている。上刃Ｃは、剛性に優れた金属製のものである。上刃Ｃは、ベースＢの下刃Ｊに沿って回動可能に支持されている。すなわち、上刃Ｃの基端部たる後端部（使用者からみて奥側の端部）は、ベースＢに対して回動可能に支持されている。上刃Ｃは、下刃Ｊとの間に用紙Ｐを配設し得る上位置（Ｕ）と、下刃Ｊと略同じ姿勢に横並びする下位置（Ｓ）との間で回動可能に構成されている。上刃Ｃの前端部（使用者からみて手前側の端部）には、使用者が把持し得るグリップＤが装着されている。
【００３３】
上刃Ｃは、後カバー２内に配された圧接機構ｗにより、下刃Ｊに対して所定の力で圧接した状態が保持されている。圧接機構ｗは、一端に上刃Ｃの外面に当接する上刃当接部ｗ１１を有するとともに他端にナット取付用のねじ溝ｍｚを有した支軸ｗ１と、この支軸ｗ１に巻装されたコイルスプリングｓｐと、支軸ｗ１のねじ溝ｍｚに螺合された二種類のナットｎ１、ｎ２とを備えている。そして、圧接機構ｗは、支軸ｗ１の上刃当接部ｗ１１と二種類のナットｎ１、ｎ２との間に配されたコイルスプリングｓｐの付勢力を利用して、上刃Ｃと下刃Ｊとを一定の押圧力で圧接させている。
【００３４】
用紙押さえＥは、上刃Ｃに隣接配置されベースＢの上向面ｍに配設された用紙Ｐを押さえ得るようにベースＢに対して回動可能に支持されている。用紙押さえＥは、上刃Ｃに沿ってベースＢの前後方向に延びてなる形状をなしている。用紙押さえＥは、合成樹脂製の用紙押さえ本体４と、用紙押さえ本体４の下面側に配設された用紙当接パッドＫとを備えている。
【００３５】
用紙押さえ本体４は、後カバー２の凹部２１３に係り合う軸部４１ａを有した基端部４１と、基端部４１から前側に延出した直線部４２と、直線部４２の前部から平面視において上刃Ｃ及び下刃Ｊの反対側に延出した内延出部４３とを備えている。
【００３６】
基端部４１は、矩形ブロック状をなしており、その外側面に用紙押さえ支持部２１ｂの係止爪ｖ１が係わり合う係合凹部４１ｂを備えている。
【００３７】
直線部４２は、平面視において上刃Ｃ及び下刃Ｊと略平行に延出するものであり、上面に安全板Ｆを取り付けるための溝状をなす安全板取付部４２ａが形成されている。安全板取付部４２ａは、全体として溝状に凹陥した形状をなしている。安全板取付部４２ａは、溝の底近傍に他方の係合部である複数の凸部４２ｂが前方に向かって突設されている。安全板取付部４２ａには、凸部４２ｂに離間させて前後方向に延びる位置決め壁４２ｃを備えている。なお、凸部４２ｂと位置決め壁４２ｃとの離間寸法は、安全板Ｆにおける一方の係合部６に設けられた挿入壁６２の厚み寸法と略同じ寸法に設定されている。
【００３８】
内延出部４３は、用紙押さえ位置においてベースＢの上向面ｍと略平行をなす下延出壁４３ａと、下延出壁４３ａの前端から立設された起立壁４３ｂとを備えている。用紙押さえ本体４は、内延出部４３と直線部４２とによって凹陥した部位を形成している。直線部４２及び起立壁４３ｂの前端縁からは前方（手前側）に突出した水平片４４が設けられており、使用者が用紙押さえＥを操作するときに手指で摘むことができるようになっている。
【００３９】
＜安全板Ｆ＞
安全板Ｆは、用紙押さえＥに対して着脱可能に立設されたものである。安全板Ｆは合成樹脂製の単一の部材であり、この実施形態では透明又は半透明に設定されている。安全板Ｆは、ねじ等の安全板Ｆとは別個独立した止着具を用いることなく用紙押さえＥに対して着脱し得るものである。
【００４０】
安全板Ｆは、板状をなす安全板本体５と、安全板本体５の下端部に設けられ用紙押さえＥに設けられた他方の係合部である安全板取付部４２ａに係合し得る一方の係合部６を備えている。
【００４１】
つまり、安全板Ｆは、下端部に設けられた一方の係合部６が、用紙押さえＥに設けられた他方の係合部たる安全板取付部４２ａに係合することにより、安全板Ｆが用紙押さえＥに装着されるものである。この実施形態では、安全板Ｆを用紙押さえＥに対して当該用紙押さえＥの長手方向である前方向にスライド移動させることにより、安全板Ｆに設けた一方の係合部６の凹部６１と用紙押さえＥに設けた他方の係合部たる安全板取付部４２ａの凸部４２ｂとが係合し得るものとなっている。一方で、安全板Ｆを用紙押さえＥに対して後方向にスライド移動させることにより、安全板Ｆに設けた一方の係合部６の凹部６１と用紙押さえＥに設けた他方の係合部たる安全板取付部４２ａの凸部４２ｂとの係合状態が解除されるものとなっている。
【００４２】
安全板本体５は、側面視において台形状に形成されている。安全板本体５は、下部に位置してなる下本体部５１と上部に位置してなる上本体部５２とを備えている。安全板本体５の上本体部５２は、上側に向かって漸次前記上刃Ｃと離れるように傾斜した傾斜面５２ａを備えている。また、上本体部５２の側面視における後部には、上刃Ｃと隣り合ったときに略同じ傾斜角度をなすように設定された傾斜辺５２ｂが形成されている。
【００４３】
一方の係合部６は、前方に向かって開放された複数の凹部６１と、複数の凹部６１に隣接して形成された挿入壁６２を備えている。なお、一方の係合部６に係わり合う他方の係合部たる安全板取付部４２ａは、用紙押さえＥに設けられており、後方に向かって突設された複数の凸部４２ｂを備えている。挿入壁６２は、用紙押さえＥの安全板取付部４２ａにおける凸部４２ｂと位置決め壁４２ｃとの間に挿入され、安全板Ｆの用紙押さえＥに対する姿勢を維持する役割を担うものとなっている。
【００４４】
なお、安全板Ｆの前後方向の寸法は、ベースＢの上向面ｍにおける前後方向の寸法よりも短く設定されている。このため、図１０に示すように、安全板Ｆを用紙押さえＥに装着していない不使用状態において、安全板ＦをベースＢの上向面ｍ上に寝かせた状態で載せ置くことができ、紛失を抑制し得るものとなっている。つまり、この実施形態における安全板Ｆは、ベースＢの上向面ｍ上に寝かせた状態の収納状態をとり得るものとなっている。
【００４５】
換言すれば、安全板Ｆは、左右空間を一定程度の高さ範囲において隔て得るように用紙押さえＥに対して立設され使用者の安全に寄与し得る使用状態と、この使用状態とは異なる態様をなす収納状態とを選択的に採り得るものとなっている。安全板Ｆは、使用状態において、用紙押さえＥに対して立設した態様が保持され得るものとなっている。換言すれば、安全板Ｆは、使用状態でその姿勢ないし態様がロックされ得るものとなっている。
【００４６】
＜回動禁止機構Ｇ＞
回動禁止機構Ｇは、使用者が用紙ＰをベースＢ上にセットしている間に、上位置（Ｕ）にある上刃Ｃが動かない（下降しない）ことを使用者の意思に基づく手動操作により設定し得るものである。つまり、回動禁止機構Ｇは、上刃Ｃが予期しない動作をすることを規制して使用者の安心に資するものである。
【００４７】
回動禁止機構Ｇは、上刃Ｃの一方向の回動、すなわち、上位置（Ｕ）にある上刃Ｃが下位置（Ｓ）に向かって回動することを禁止し得るものである。換言すれば、回動禁止機構Ｇは、上刃Ｃが下方に向かって回動するのを禁止し得るものである。
【００４８】
また、この実施形態では、回動禁止機構Ｇを作動させるための操作手段である操作部材７が、上刃Ｃから離れた位置に設けられている。すなわち、使用者の手指によって操作される操作部材７が、上刃Ｃとの間に用紙押さえＥが介在する位置に設けられている。
【００４９】
より具体的に言えば、回動禁止機構Ｇは、使用者の操作によって、上刃Ｃの回動を禁止する回動禁止位置（Ｌ）と上刃Ｃの回動を許容する回動許容位置（Ｒ）との間で左右方向にスライド移動し得るものである。回動禁止機構Ｇは、合成樹脂製の操作部材７と、操作部材７に取り付けられた金属製のピンＱとを備えたものである。
【００５０】
操作部材７は、操作部材ベース７１と、この操作部材ベース７１から突設された操作突部７２とを備えたものである。回動禁止機構Ｇは、後カバー２内に配設されている。
【００５１】
操作部材ベース７１は、矩形平板状をなす操作部材ベース本体７１１と、この操作部材ベース本体７１１の下面から突設されピンＱの一端部を保持するピン支持部７１２とを備えている。
【００５２】
操作部材ベース本体７１１は、回動禁止位置（Ｌ）にある場合に後カバー２の窓２１ａから表出する第一の表示領域ｒ１と、回動許容位置（Ｒ）にある場合にカバーの窓２１ａから表出する第二の表示領域ｒ２とを備えている。この実施形態では、第一の表示領域ｒ１には使用者の注意力を喚起しやすい配色（例えば赤色や朱色）を表示させている。
【００５３】
ピンＱは、金属製の棒状のものである。ピンＱは、その先端部が上刃Ｃの下に位置する回動禁止位置（Ｌ）と、先端部が上刃Ｃの下に位置しない回動許容位置（Ｒ）との間で操作部材７とともにスライド移動可能に構成されたものである。ピンＱは、ベース本体１の後壁１５に取り付けられたチャンネル状のガイド部材９にスライド移動可能に支持されている。
【００５４】
この実施形態では、ピンＱは、剛性に優れた下刃Ｊに設けられた貫通孔ａ１を通過して、上刃Ｃの下に突没し得るようになっている。
【００５５】
なお、回動禁止機構Ｇは、節度機構８により、回動禁止位置（Ｌ）と回動許容位置（Ｒ）との間で節度停止し得るものとなっている。節度機構８は、操作部材ベース本体７１１の下面に取り付けられ前縁に左右に離間した凹陥部８１ａを有した板状の節度係止板８１と、ベース本体１に取り付けられ節度係止板８１の凹陥部８１ａに弾性係合し得る突起を有した板ばね部材８２とを備えている。
【００５６】
以上説明したように、本実施形態に係る裁断機Ａは、用紙Ｐが配設される上向面ｍを有するとともに側端部に下刃Ｊを有したベースＢと、このベースＢの下刃Ｊに沿って回動可能に支持された上刃Ｃと、この上刃Ｃに隣接配置され上向面ｍに配設された用紙Ｐを押さえ得るようにベースＢに対して回動可能に支持された用紙押さえＥと、この用紙押さえＥに対して着脱可能に立設された安全板Ｆとを備えてなる裁断機Ａであって、安全板Ｆが、止着具を用いることなく用紙押さえＥに対して着脱し得るものである。このため、上刃Ｃと下刃Ｊとの間に手が入ることを好適に予防することができ、且つ、使用者の使い勝手に優れた裁断機Ａを提供することができるものとなる。
【００５７】
つまり、用紙押さえＥに安全板Ｆを立設しているため、上刃Ｃと下刃Ｊとの間に手が及ぶことを物理的に抑制し得るとともに、使用者に対しては手を傷づけてしまうという心理的な不安感を好適に減少させ得るものとなる。しかも、安全板Ｆは止着具を用いることなく容易に着脱し得るものとなっているため、用紙押さえＥに対する安全板Ｆの着脱が極めて柔軟に行い得る。例えば、安全板Ｆが不要な場合や、用紙Ｐを切断する作業を終えてコンパクトに収納する場合等において、安全板Ｆを簡単に用紙押さえＥから取り外すことができ使い勝手に優れたものとなっている。
【００５８】
安全板Ｆの下端部に設けられた一方の係合部６が、用紙押さえＥに設けられた他方の係合部である安全板取付部４２ｂに係合することにより、安全板Ｆが用紙押さえＥに装着されるものである。そして、安全板Ｆを前後方向にスライド移動させることにより、一方の係合部６と他方の係合部たる安全板取付部４２ｂとが係合し得るものとなっている。このため、裁断機Ａの前において作業する使用者が簡便に操作しやすい前後方向のスライド操作によって、安全板Ｆの用紙押さえＥに対する装着及び離脱が快適に行い得るものとなっている。
【００５９】
一方の係合部６が前方に向かって開放された複数の凹部６１を備えたものであり、他方の係合部である安全板取付部４２ａが後方に向かって突設された複数の凸部４２ｂを備えている。このため、安全板Ｆと用紙押さえＥとが好適に係合し得るものとなっている。
【００６０】
安全板Ｆが、上側に向かって漸次上刃Ｃと離れるように傾斜した傾斜面５２ａを備えている。このため、使用者による用紙Ｐを切断する操作の過程で、用紙Ｐを切断する部分が視認されやすいものとなっている。
【００６１】
安全板Ｆにおける前後方向の寸法が、ベースＢの上向面ｍにおける前後方向の寸法よりも短く設定されている。このため、安全板Ｆを収納するときなどに、寝かせた状態の安全板ＦをベースＢの上向面ｍ上に載置させることができるものとなっている。
【００６２】
なお、本発明は、以上に詳述した実施形態に限られるものではない。
【００６３】
裁断機は、安全板が用紙押さえに装着されていないときに、安全板をベースの上向面に対して載せ置いた状態で安定保持させ得る保持装置が設けられたものであってもよい。かかる保持装置の一例としては、例えば、安全板における所定の箇所に磁石を設けたものを挙げることができる。つまり、磁石を有した安全板が、当該磁石に引き合う素材で構成されたベースの上向面に対して寝かせた姿勢で載置されたときに、当該ベースに磁力によって収納状態が安定保持されるものが考えられる。
【００６４】
安全板の形状や色彩は種々のものを適用することができ、上述した実施形態に示されたものに限定されるものではない。
【００６５】
安全板が、使用状態と収納状態とを選択的に採り得る態様は、種々設定することができるものであり、上述した実施形態に示したものに限られるものではない。
【００６６】
例えば、図１６及び図１７に示すようなものが考えられる。この実施形態における裁断機Ａは、用紙押さえＥの上に設けられた安全板Ｆが、図示しない支軸に支持された扇型をなす複数すなわち四枚の安全板構成部材５Ａにより構成されたものである。この実施形態における安全板Ｆは、用紙押さえＥに軸支持された四枚の安全板構成部材５Ａが扇子を開いたように拡開し上刃Ｃ及び下刃Ｊとベース本体１との間を一定の高さで遮る使用状態（ｆ１）と、複数の安全板構成部材５Ａが扇子を畳んだように重なり合って使用状態（ｆ１）よりも低い姿勢に収納された収納状態（ｆ２）とを選択的に採り得るものとなる。四枚の安全板構成部材５Ａは、用紙押さえＥにおける後端部側に回動可能に支持されている。そして、安全板Ｆは、使用者の手前側となる用紙押さえＥの前端部側を一定の高さで遮ることができるものとなっている。なお、この安全板Ｆは、図示しない拡開姿勢ロック機構の働きにより、使用状態において、上向面ｍに対して一定の高さで起立した姿勢、すなわち複数の安全板構成部材５Ａが支軸を中心に回動し扇子を開いたように拡開した姿勢が保持され得るものとなっている。かかる構成の裁断機Ａであっても所期の目的を達成することができるものとなる。すなわち、安全板Ｆによって上刃Ｃと下刃Ｊとの間に手が入ることを好適に予防することができ、且つ、安全板Ｆの機能を発揮させるか否かの選択を使用者によって自由に行わせ得るものとなるため、使用者の使い勝手に優れた裁断機Ａを提供することができる。
【００６７】
また、その他の安全板Ｆとしては、例えば、図１８〜２０に示すようなものが考えられる。
【００６８】
この実施形態における裁断機Ａは、安全板Ｆがフラップ動作し得るように用紙押さえＥに対して回動可能に支持されたものである。安全板Ｆは、用紙押さえＥに対して起立した使用状態（ｆ１）と用紙押さえＥに対して起立していない収納状態（ｆ２）とを選択的に採り得るように構成されている。用紙押さえＥは、収納状態（ｆ２）において、上向面ｍと略平行をなす姿勢をなしている。安全板Ｆは、一枚の板状をなしている。安全板Ｆは、基端部における前端及び後端に軸ｊを突設させており、用紙押さえＥは安全板Ｆに設けた軸ｊを回動可能に支持し得る軸受部ｕを設けている。そして、安全板Ｆは、用紙押さえＥの長手方向に直交する方向に回動し得るものとなっている。
【００６９】
すなわち、図１８、図１９、図２０の順に示すように、使用者は、図１８に示す使用状態（ｆ１）にある安全板Ｆをベース本体１側に向かって回転させる（図１９を参照）ことにより、最終的には図２０に示すように安全板ＦをベースＢの上向面ｍと略平行をなす収納状態（ｆ２）に姿勢変更することができるものとなる。かかる構成の裁断機Ａであっても所期の目的を達成することができるものとなる。すなわち、安全板Ｆによって上刃Ｃと下刃Ｊとの間に手が入ることを好適に予防することができ、且つ、安全板Ｆの機能を発揮させるか否かの選択を使用者によって自由に行わせ得るものとなるため、使用者の使い勝手に優れた裁断機Ａを提供することができる。
【００７０】
用紙押さえに対して安全板を着脱自在に取り付け得る構造については、種々の態様を採り得るものであり、上述した実施形態に示したものに限られるものではない。例えば、用紙押さえに対して安全板を磁石による吸着力を利用して着脱し得るように構成したものであってもよい。
【００７１】
安全板を上刃及び下刃に向かう方向にスライド移動させることにより、安全板に設けた一方の係合部と用紙押さえに設けた他方の係合部とが係合し得るように構成したものであってもよい。換言すれば、安全板を用紙押さえの長手方向と直交する方向である左右方向に移動させることにより、用紙押さえに設けた取付部に安全板を取り付けるように構成したものであってもよい。例えば、安全板を、ベース本体上において上刃及び下刃に向かう方向にスライドさせることにより、安全板に設けた一方の係合部と用紙押さえに設けた他方の係合部とが係合し得るように構成したものが考えられる。
【００７２】
その他、各部の具体的構成についても上記実施形態に限られるものではなく、本発明の趣旨を逸脱しない範囲で種々変形が可能である。
【符号の説明】
【００７３】
Ａ…裁断機
Ｂ…ベース
Ｃ…上刃
Ｅ…用紙押さえ
Ｆ…安全板
Ｊ…下刃
Ｐ…用紙
ｍ…上向面
【図１】
2019084631.tif 000003
【図２】
2019084631.tif 000004
【図３】
2019084631.tif 000005
【図４】
2019084631.tif 000006
【図５】
2019084631.tif 000007
【図６】
2019084631.tif 000008
【図７】
2019084631.tif 000009
【図８】
2019084631.tif 000010
【図９】
2019084631.tif 000011
【図１０】
2019084631.tif 000012
【図１１】
2019084631.tif 000013
【図１２】
2019084631.tif 000014
【図１３】
2019084631.tif 000015
【図１４】
2019084631.tif 000016
【図１５】
2019084631.tif 000017
【図１６】
2019084631.tif 000018
【図１７】
2019084631.tif 000019
【図１８】
2019084631.tif 000020
【図１９】
2019084631.tif 000021
【図２０】
2019084631.tif 000022